(57)【要約】【課題】複数のレーザ光源をパルス駆動方式にて駆動させる際に、射出する光量をより確実に制御できる、光源装置を提供する。【解決手段】互いに並列に接続された複数のレーザ光源１０と、複数のレーザ光源１０から１または２以上のレーザ光源１０を選択し、選択された１または２以上のレーザ光源１０の各々に、レーザ光源１０をパルス駆動する駆動信号を供給する光源駆動部１２と、を備え、光源駆動部１２は、複数種類の駆動信号の中から、選択したレーザ光源１０の総数に対応する駆動信号を選択することを特徴とする。【選択図】図２
2009271406.tif 000002
【特許請求の範囲】
【請求項１】
互いに並列に接続された複数のレーザ光源と、
前記複数のレーザ光源から１または２以上のレーザ光源を選択し、選択された前記１または２以上のレーザ光源の各々に、前記レーザ光源をパルス駆動する駆動信号を供給する光源駆動部と、を備え、
前記光源駆動部は、制御パラメータが異なる複数種類の駆動信号の中から、選択したレーザ光源の総数に対応する駆動信号を選択することを特徴とする光源装置。
【請求項２】
前記光源駆動部は、前記複数のレーザ光源の各々に直列に接続するスイッチ回路を備え、
前記スイッチ回路によって、前記駆動信号を供給することを特徴とする請求項１に記載の光源装置。
【請求項３】
前記光源駆動部は、前記レーザ光源の総数と、前記レーザ光源の総数に応じた前記駆動信号と、の対応関係である信号選択条件を記憶する記憶手段を備え、
前記記憶手段から取得する前記信号選択条件に基づいて、前記レーザ光源の総数に対応する駆動信号を選択することを特徴とする請求項１または２に記載の光源装置。
【請求項４】
前記光源駆動部は、前記複数のレーザ光源が射出すべき光量と、前記射出すべき光量に応じた前記レーザ光源の総数と、の対応関係である光源数選択条件を記憶する記憶手段を備え、
前記記憶手段から取得する前記光源数選択条件に基づいて、前記射出すべき光量に対応する前記レーザ光源の総数を選択することを特徴とする請求項１から３のいずれか１項に記載の光源装置。
【請求項５】
前記光源数選択条件は、前記レーザ光源の総数の増加に対して前記射出すべき光量が線形で増加する対応関係であることを特徴とする請求項４に記載の光源装置。
【請求項６】
前記光源駆動部は、前記複数種類の駆動信号の中から、前記制御パラメータのうちデューティ比を制御した駆動信号を選択することを特徴とする請求項１から５のいずれか１項に記載の光源装置。
【請求項７】
前記光源駆動部は、前記複数種類の駆動信号の中から、前記制御パラメータのうち駆動周波数を制御した駆動信号を選択することを特徴とする請求項１から５のいずれか１項に記載の光源装置。
【請求項８】
前記光源駆動部は、前記複数種類の駆動信号の中から、前記制御パラメータのうち駆動電圧または駆動電流の値である駆動値を制御した駆動信号を選択することを特徴とする請求項１から５のいずれか１項に記載の光源装置。
【請求項９】
前記駆動値を検出する駆動値検出手段と、
検出される前記駆動値の検出値、及び前記レーザ光源の総数に対応して選択される前記駆動値の選択値に基づいて、前記複数のレーザ光源への供給する前記駆動信号の前記駆動値を制御する駆動値制御手段と、を有することを特徴とする請求項８に記載の光源装置。
【請求項１０】
請求項１から９のいずれか１項に記載の光源装置と、
前記光源装置により照明された被写体を撮像する撮像部と、を備えることを特徴とするモニタ装置。
【請求項１１】
請求項１から９のいずれか１項に記載の光源装置と、
前記光源装置からの光を画像信号に応じて変調する変調部と、を備えることを特徴とするプロジェクタ。
【請求項１２】
複数のレーザ光源を備え、前記複数のレーザ光源から選択する１または２以上のレーザ光源の各々をパルス駆動させる光源装置の駆動方法であって、
選択したレーザ光源の総数に対応して複数種類の駆動信号の中から選択される駆動信号によって、前記選択したレーザ光源の各々を駆動することを特徴とする光源装置の駆動方法。
【発明の詳細な説明】
【技術分野】
【０００１】
本発明は、光源装置、モニタ装置、プロジェクタ、及び光源装置の駆動方法に関するものである。
【背景技術】
【０００２】
大画面化の有力な手段として、液晶パネルをライトバルブとして用いた投写型液晶プロジェクタが盛んに開発されている。この方式のプロジェクタでは、鮮やかな画像の再現のために光源の高輝度化が必須となっている。しかし、液晶パネルを用いて光源からの光を完全に遮断することは技術的に非常に難易度が高く、液晶パネルを透過する漏れ光が発生しやすい。そのため、光源の明るさが増加するほど、黒表示（または、暗表示）時に光漏れ等による黒浮きが顕著となり、光源の高輝度化がコントラストの向上に必ずしも反映されなくなる。
【０００３】
一方、光源を高輝度にすることは、液晶パネルの耐熱の面からもマイナス要因となる。特に、全般に暗い画面の場合は、高輝度の光源からの光の大半を液晶パネルにより遮断しなければならないため、液晶パネルでの熱吸収も大きくなり、液晶パネルが備える偏光板等の構成材料の熱劣化による破損につながる。
【０００４】
そこで、このような光源の高輝度化に伴う光漏れ（黒浮き）、液晶パネルでの熱吸収による破損、などの課題を解決する手段として、映像のピーク信号に基づき光源の出力を変化させコントラストを制御する手法が提案されている（例えば、特許文献１参照）。
【特許文献１】特開平０６−１６０８１１号公報
【発明の開示】
【発明が解決しようとする課題】
【０００５】
ところが、特許文献１に記載されているようなメタルハライドランプでは、光源の出力を変化させる照明色温度の制約、瞬時・間欠点灯の不可、及び短寿命等について課題がある。そこで、このような課題を克服するメタルハライドランプに代わる光源として、レーザ光源に期待が寄せられている。複数のレーザ光源を集積したレーザアレイを、全体で１つの光源として用いることで、上記メタルハライドランプの課題を克服した光源とすることが検討されている。このようなレーザアレイ型光源では、例えば駆動させるレーザ光源の総数を変えることで、光源全体の明るさを調節することができると考えられる。
【０００６】
本発明は、複数のレーザ光源を用い、各々のレーザ光源の出力（射出する光量）を確実に制御できる光源装置及び駆動方法を提供することを目的とする。また、このような光源装置を備えたモニタ装置を提供することを目的とする。更に、入力される画像信号等に応じて光源の出力を確実に制御することで、より高画質な画像表示を実現するプロジェクタを提供することを目的とする。
【課題を解決するための手段】
【０００７】
発明者は、様々な検討を重ねた結果、複数のレーザ光源を備えたレーザアレイ型光源の各々のレーザ光源を、パルス信号を用いた変調駆動（以下、パルス駆動）方式にて駆動させる構成が良いとの発想に至った。パルス駆動方式を用いると、瞬間的に大容量の電流を流すことができるために強い発光強度が得られ、高輝度のレーザ光源を実現することができる。また、間欠的に非駆動状態を繰り返すことから、レーザ光源の総駆動時間を減らすことができ光源の長寿命化が可能となる。
【０００８】
しかしながら、上記のような様々な利点がある一方で、パルス駆動方式を上記レーザアレイの駆動方式に適用すると、新たな課題が生じることも合わせて明らかとなった。この課題は、パルス駆動を行いレーザ光源の光量を変化させながら、更に駆動させるレーザ光源の総数を変化させる場合に生じる。
【０００９】
上記のようなレーザアレイでは、複数のレーザ光源を並列に接続した並列回路となる。印加電圧一定の条件下において、このような並列回路で駆動するレーザアレイのレーザ光源数を増加させた場合には、回路上の導通部分が増えるため回路全体として抵抗が下がる。すると、回路の配線等に生じる寄生インダクタンスや寄生キャパシタンスの影響が相対的に大きくなり、パルス駆動の駆動波形が変化してしまう。
【００１０】
図１４は、印加電圧一定の並列回路において、光源数の変化に対する駆動信号の波形の違いを示すシミュレーション結果である。図に示すように、光源数が１個の場合には駆動信号は矩形波となっているが、光源数が１０個になると、三角波のようになまった駆動信号となっている。
【００１１】
光源に流れる電流量は波形の積分値で表されることから、駆動する光源の総数によって、レーザ光源を流れる電流量が異なる。また、電力量は電流量と印加電圧の積で表されることから、駆動する光源の総数によってレーザ光源に投入する電力量が異なり、レーザ光源が射出する光量が異なることとなる。このように、レーザ光源の総数と光量が線形（正比例）の関係を示さなくなり、レーザアレイの光量制御が困難となってしまう。
【００１２】
そこで、上記の課題を解決するため、本発明の光源装置は、互いに並列に接続された複数のレーザ光源と、前記複数のレーザ光源から１または２以上のレーザ光源を選択し、選択された前記１または２以上のレーザ光源の各々に、前記レーザ光源をパルス駆動する駆動信号を供給する光源駆動部と、を備え、前記光源駆動部は、複数種類の駆動信号の中から、選択したレーザ光源の総数に対応する駆動信号を選択することを特徴とする。
【００１３】
本発明において「駆動信号」とは、レーザ光源をパルス駆動させるためにレーザ光源に供給する駆動信号であり、「制御パラメータ」とは、駆動信号の波形のデューティ比（単位波形の幅に対する周期の比）、駆動信号の周波数、駆動信号の駆動電圧、駆動電流等であり、「複数種類の駆動信号」とは、駆動信号の波形のデューティ比、駆動信号の周波数、駆動信号の駆動電圧、駆動電流等の制御パラメータを変化させた駆動信号である。本発明の光源装置は、たとえ駆動させるレーザ光源の数が変化して寄生インダクタンスや寄生キャパシタンスの影響の程度が変化したとしても、駆動させるレーザ光源の総数に対応して、これらの駆動信号を変化させることで、所望の光量を射出させることができる。
【００１４】
本発明においては、前記光源駆動部は、前記複数のレーザ光源の各々に直列に接続するスイッチ回路を備え、前記スイッチ回路によって、前記レーザ光源をパルス駆動する前記駆動信号を供給することが望ましい。
この構成によれば、スイッチ回路のＯＮ状態／ＯＦＦ状態を制御する制御信号を用いて、レーザ光源をパルス駆動させる駆動信号の制御パラメータを制御することができるため、駆動信号の調整が容易となる。
【００１５】
本発明においては、前記光源駆動部は、前記レーザ光源の総数と、前記レーザ光源の総数に応じた前記駆動信号と、の対応関係である信号選択条件を記憶する記憶手段を備え、前記記憶手段から取得する前記信号選択条件に基づいて、前記レーザ光源の総数に対応する駆動信号を選択することが望ましい。
この構成によれば、信号選択条件の追加、削除、変更を自由に行うことができ、信号選択条件の管理が容易となる。また、実際にレーザ光源を駆動する場合、レーザ光源の総数に応じて即座に好適な駆動信号を得ることができるので、駆動の高速化に寄与することができる。
【００１６】
本発明においては、前記光源駆動部は、前記複数のレーザ光源が射出すべき光量と、前記射出すべき光量に応じた前記レーザ光源の総数と、の対応関係である光源数選択条件を記憶する記憶手段を備え、前記記憶手段から取得する前記光源数選択条件に基づいて、前記射出すべき光量に対応する前記レーザ光源の総数を選択することが望ましい。
この構成によれば、光源数選択条件の追加、削除、変更を自由に行うことができ、光源数選択条件の管理が容易となる。また、実際にレーザ光源を駆動する場合、例えば入力される画像データに基づく射出すべき光量に応じて、即座に必要なレーザ光源の総数を得ることができるので、駆動の高速化に寄与することができる。
【００１７】
本発明においては、前記光源数選択条件は、前記レーザ光源の総数の増加に対して前記射出すべき光量が線形で増加する対応関係であることが望ましい。
この構成によれば、レーザ光源の総数と射出される光量とが線形（正比例）の関係となるため、光量の調節が容易となる。
【００１８】
本発明においては、前記光源駆動部は、前記複数種類の駆動信号の中から、前記制御パラメータのうちデューティ比を制御した駆動信号を選択することが望ましい。
レーザ光源をパルス駆動させる駆動信号において、駆動信号のデューティ比はレーザ光源のＯＮ状態／ＯＦＦ状態の比に対応する。そのためデューティ比を変化させた駆動信号を選択することで、射出する光量を制御することができる。
【００１９】
本発明においては、前記光源駆動部は、前記複数種類の駆動信号の中から、前記制御パラメータのうち駆動周波数を制御した駆動信号を選択することが望ましい。
【００２０】
通常、回路には、配線パターンによる寄生抵抗（ＥＳＲ）、寄生インダクタンス（ＥＳＬ）、寄生キャパシタンス（ＥＳＣ）が存在する。回路の負荷インピーダンスが大きく、電流量が少ないレーザ光源であれば、ＥＳＲ、ＥＳＬ、ＥＳＣ等の寄生成分の影響は無視出来るが、回路の負荷インピーダンスが小さく電流量が大きいレーザ光源では、上記寄生成分の影響を無視出来なくなる。特に大電流パルス駆動を行うレーザ光源の場合は、上記寄生成分の中でも寄生インダクタンスの影響が大きくなる。
【００２１】
相対的に影響の小さい寄生抵抗、寄生キャパシタンスを無視し、影響の大きい寄生インダクタンスに着目すると、寄生インダクタンスによる回路インピーダンスは、虚数ｊ、駆動信号の角周波数ω、インダクタンスＬ（Ｈ）により、次式（１）で表すことができる。
【００２２】
【数１】
2009271406.tif 000003
【００２３】
周期ωは、駆動周波数ｆを用いて次式（２）で表すことができる。
【００２４】
【数２】
2009271406.tif 000004
【００２５】
式（１）（２）より、周波数を小さくすることで、回路の寄生インダクタンスの影響を小さくすることができるため、レーザ光源の総数の増加に対して小さい周波数の駆動信号を選択することで、射出する光量を制御することができる。
【００２６】
本発明においては、前記光源駆動部は、前記複数種類の駆動信号の中から、前記制御パラメータのうち駆動電圧または駆動電流の値である駆動値を制御した駆動信号を選択することが望ましい。
レーザ光源からは、レーザ光源に投入される電力量に対応した光量が射出される。電力量はレーザ光源を流れる電流量と印加電圧との積で求められるため、レーザ光源の総数の変化に対応して駆動電圧または駆動電流を変化させた駆動信号を選択することで、射出する光量を制御することができる。
【００２７】
本発明においては、前記駆動値を検出する駆動値検出手段と、検出される前記駆動値の検出値、及び前記レーザ光源の総数に対応して選択される前記駆動値の選択値に基づいて、前記複数のレーザ光源への供給する前記駆動信号の前記駆動値を制御する駆動値制御手段と、を有することが望ましい。
駆動値の検出値を実測すると共に、駆動値の選択値と該検出値とが一致するように駆動値を制御することができるため、駆動値を検出しない場合と比べ、より正確に駆動値を制御することが可能となり、正確に射出する光量を制御することができる。
【００２８】
本発明のモニタ装置は、上述の光源装置と、前記光源装置により照明された被写体を撮像する撮像部と、を備えることを特徴とする。
この構成によれば、光源装置から射出する光量を確実に制御し、良好な撮像が可能なモニタ装置を提供することができる。
【００２９】
本発明のプロジェクタは、上述の光源装置と、前記光源装置からの光を画像信号に応じて変調する変調部と、を備えることを特徴とする。
この構成によれば、光源装置から射出する光量を確実に制御すると共に、光量が制御された光を変調部で変調することで、ダイナミックレンジが広く映像表現力に優れたプロジェクタを提供することができる。
【００３０】
本発明の光源装置の駆動方法は、複数のレーザ光源を備え、前記複数のレーザ光源から選択する１または２以上のレーザ光源の各々をパルス駆動させる光源装置の駆動方法であって、選択したレーザ光源の総数に対応して複数種類の駆動信号の中から選択される駆動信号によって、前記選択したレーザ光源の各々を駆動することを特徴とする。
この方法によれば、選択されたレーザ光源の総数に応じた駆動信号を各々のレーザ光源に供給するので、レーザ光源の総数の変化による光量の変化を抑制し、確実に制御された光量を射出することができる。
【発明を実施するための最良の形態】
【００３１】
［第１実施形態］
以下、図１〜図８を参照しながら、本発明の第１実施形態に係る光源装置について説明する。本実施形態では、本発明に係る光源装置を、半導体レーザアレイである半導体レーザ（ＬＤ）光源装置（以降、レーザ光源装置）に適用した例について説明する。なお、以下の全ての図面においては、図面を見やすくするため、各構成要素の膜厚や寸法の比率などは適宜異ならせてある。
【００３２】
図１は、本実施形態に係るレーザ光源装置の概略構成図である。レーザ光源装置２は、レーザ光を射出する複数（本実施形態では１０個）のレーザ光源１０と、これらレーザ光源１０を駆動する光源駆動部１２と、を備える。
【００３３】
本実施形態では、レーザ光源１０として、光の共振する方向が基板面１０ａに対して垂直であり、レーザ光が基板面１０ａに対して垂直に射出するＶＣＳＥＬ（Vertical-Cavity Surface-Emitting Laser）型と呼ばれるものを用いる。
【００３４】
複数のレーザ光源１０は、例えば同一基板上に規則的に配置されたアレイ構造を備えている。本実施形態では、複数のレーザ光源１０が１つの配列軸方向に並ぶ１次元のアレイ構造を備え、隣り合うレーザ光源１０の間の距離が一定の距離となっている。複数のレーザ光源１０がこのようなアレイ構造を備えることで、発光量を均一化することができる。更に各レーザ光源相互の隙間を小さくすることで、複数のレーザ光源１０を全体で１つの光源として用いることができ、発光面積の広い光源として供することができる。
【００３５】
なお、レーザ光源１０は、必ずしも複数の発光部が同一基板上に形成されたものに限ることはなく、個別に作製された複数のレーザ光源を支持基板上に実装するなどしてアレイ化したものであってもよい。また、複数のレーザ光源１０が交差する２つの配列軸方向に並ぶ２次元のアレイ構造であってもよい。
【００３６】
図２は、本実施形態に係るレーザ光源装置の概略回路図である。図に示すように、レーザ光源装置２は、複数のレーザ光源１０が並列回路を構成しており、光源駆動部１２と接続されている。光源駆動部１２は、１０個全てのレーザ光源１０に駆動信号を供給し、全てのレーザ光源１０がパルス駆動される。光源駆動部１２は、回路全体に電圧を印加し所定の駆動電流を供給する光源駆動回路１４と、制御信号に基づいて各レーザ光源１０をパルス駆動させ、複数のレーザ光源１０から射出されるレーザ光の総量を制御する光源制御回路１６と、入力される画像データ等に基づいて複数のレーザ光源１０の出力を算出すると共に、レーザ光源１０をパルス駆動させる適切な駆動条件を選択する駆動信号選択回路２０と、を備える。
【００３７】
本実施形態では、駆動信号選択回路２０は光源駆動部１２の一部を構成することとしたが、駆動信号選択回路２０の機能の一部または全部を備える回路をレーザ光源装置２と別体に用意し、光源駆動部１２に接続することとしてもよい。
【００３８】
光源制御回路１６は、駆動するレーザ光源１０の数を切り替えることにより射出するレーザ光の光量を制御する。前述のように、レーザ光源装置２は並列回路であり、各々のレーザ光源１０を各自独立に制御することができる。
【００３９】
光源制御回路１６は、複数のレーザ光源１０の各々に直列に接続されているスイッチ回路１８と、各々のスイッチ回路１８と接続され、各スイッチ回路１８に個別の制御信号を供給しスイッチ回路１８を制御するスイッチ制御回路１７と、を備えている。
【００４０】
スイッチ制御回路１７は、個々のスイッチ回路１８をＯＮ状態とするか、ＯＦＦ状態とするかを制御する（切り替える）ための信号（制御信号）を供給する。スイッチ回路１８は、スイッチ制御回路１７から供給される制御信号に基づき、スイッチ回路１８のＯＮ状態／ＯＦＦ状態に応じた電流をレーザ光源１０に供給し、レーザ光源１０を駆動させる。
【００４１】
スイッチ回路１８は、複数のレーザ光源１０の各々について、駆動／非駆動を選択すると共に、スイッチ制御回路１７から供給される制御信号に基づいて選択されたレーザ光源１０をパルス駆動させる駆動信号を生成し、レーザ光源１０に供給する。スイッチ回路１８としては、スイッチ動作をする半導体素子であるトランジスタ等の３端子型素子を用いることができ、この場合には、スイッチ制御回路１７は各スイッチ回路１８のトランジスタのゲート端子に駆動信号に対応する駆動電位を供給する。本実施形態では、スイッチ回路１８として、ＦＥＴ（Field effect transistor：電界効果トランジスタ）を用いる。
【００４２】
本実施形態のレーザ光源装置２は、駆動するレーザ光源１０の数と、駆動するレーザ光源１０の各々をパルス駆動させることで得られる階調出力と、を組み合わせることで、射出されるレーザ光の総量を制御する。
【００４３】
駆動信号選択回路２０は、入力される画像データ等に基づいて、複数のレーザ光源１０の出力を算出すると共に、レーザ光源１０をパルス駆動させる適切な駆動信号を選択する。駆動信号選択回路２０で行う駆動信号の選択方法については、後に詳述する。
【００４４】
図３は、各々のレーザ光源１０の駆動について説明する説明図である。図３（ａ）は、１個のレーザ光源１０への投入電流とレーザ光量との関係を示す図、いわゆる出力特性曲線であり、横軸が電流Ｉ（無単位）、縦軸が光量Ｌ（無単位）である。電流をゼロから増加させていくと、ある程度までは発光が開始しないが、ある値を超えると発光が開始し、それ以降は電流の増加に伴って光量が増加する領域Ｓ（遷移領域と呼ぶ）がしばらく続く。そして、ある値のところで光量が最大となり、それ以降は電流を増加させても光量はむしろ減少する。レーザ光源１０は、一般的に以上のような出力特性を示す。
【００４５】
一方、図３（ｂ）は横軸に電流Ｉ（無単位）、縦軸に光量／電流（ｄＬ／ｄＩ、無単位）をとり、これらの関係を示したものである。本実施形態では、光量／電流の値が最大、すなわち、出力特性曲線の勾配が最大となるときの電流値を「しきい値」と定義する。
【００４６】
複数のレーザ光源１０を駆動する場合、レーザ光のしきい値の付近では各々のレーザ光源１０の個体差による発光量の違いが顕著となり、同じ電流を投入したとしても、レーザ光源毎にその出力には大きな違いを生じる。そのため、パルス駆動させてレーザ光源１０に流す駆動電流値として、個体差による影響が大きいレーザ光源のしきい値を避けた値を設定し、しきい値を避けた第１及び第２の電流値によりレーザ光源１０を駆動させると、出力をより確実に制御することができる。
【００４７】
第１の電流値には、複数のレーザ光源１０の複数のしきい値Ｉthのうち、最も小さいしきい値Ｉthmin未満の値に設定され、第２の電流値には、最も大きいしきい値Ｉthmaxを超える値に設定することが好ましい。本実施形態では、全てのレーザ光源１０が実質的にレーザ光を射出していない状態（ＯＦＦ状態）の電流値を第１の電流値に設定し、全てのレーザ光源１０が実質的にレーザ光を射出している状態（ＯＮ状態）の電流値を第２の電流値に設定して、第１及び第２の電流値の２値の電流値でパルス駆動させることにより、出力を容易且つ確実に制御する。
【００４８】
続いて、図４から図８を用いて、本実施形態のレーザ光源装置２の駆動方法を説明する。
【００４９】
図４は、本実施形態のレーザ光源装置２の全体構成を説明する概略図である。本実施形態の光源駆動部１２は、駆動信号選択回路２０と光源制御回路１６とを備えている。駆動信号選択回路２０は、光源数選択手段２２と駆動信号選択手段２４と記憶手段２６とを有している。また、光源制御回路１６は、スイッチ制御回路１７とスイッチ回路１８とを有している。
【００５０】
外部から入力される光源装置２に入力される画像データ等の入力データは、光源駆動部１２が備える駆動信号選択回路２０に入力されて、入力データに応じた駆動信号が選択され、次いで選択された駆動信号が光源制御回路１６に入力されることで、駆動信号に応じてレーザ光源１０を駆動させる。以下、各構成について詳細に述べる。
【００５１】
駆動信号選択回路２０が備える光源数選択手段２２は、入力データの最大輝度から射出すべき光量を算出すると共に、射出すべき光量に応じた駆動させるレーザ光源の総数を選択する。また、駆動信号選択手段２４は、選択されたレーザ光源の総数に応じて好適な駆動信号を選択する。光源数選択手段２２や駆動信号選択手段２４には、ＤＳＰ（Digital Signal Processor）、ＰＬＤ（Programmable Logic Device）、ＣＰＬＤ（Complex PLD）、ＦＰＧＡ（Fielf Programmable Gate Alley）などの集積回路を用いることができる。
【００５２】
また、記憶手段２６は、射出すべき光量とレーザ光源の総数との対応関係である光源数選択条件と、レーザ光源の総数と駆動信号との対応関係である信号選択条件と、を記憶している。光源数選択手段２２および駆動信号選択手段２４は、記憶手段２６から各選択条件を取得可能となっている。光源数選択条件と信号選択条件は、これらの対応関係を示す計算式を記憶させておき、対応する値を算出することとしても良く、また、予め算出した対応関係を示す複数のデータを集積したルックアップテーブルを記憶させておき、対応する値を選択することとしても良い。
【００５３】
このような構成の駆動信号選択回路２０にデータが入力されると、まず光源数選択手段２２で、入力データの最大輝度から得られる射出すべき光量と、記憶手段２６に記憶された光源数選択条件と、を用いて、駆動するレーザ光源の総数を算出する。
【００５４】
次いで駆動信号選択手段２４で、光源数選択手段２２で算出されたレーザ光源の総数と、記憶手段２６に記憶された信号選択条件と、を用いて、レーザ光源の総数に対する駆動信号を選択する。このようにして駆動信号選択回路２０で選択された駆動信号は、光源制御回路１６に入力される。
【００５５】
光源制御回路１６では、駆動信号選択回路２０にて選択された駆動信号に基づいて、スイッチ制御回路１７からレーザ光源１０をパルス駆動させるスイッチ制御信号を供給する。スイッチ回路１８では、スイッチ制御信号に応じてゲート電極に駆動電位が印加される。すると、スイッチ回路１８は、スイッチ制御信号に応じて駆動信号であるパルス電流をレーザ光源１０に供給し、レーザ光源１０が点灯（発光）してレーザ光を射出する。本実施形態のレーザ光源装置２は、このようにして入力データを処理し、レーザ光を射出する。
【００５６】
次に、図５から図８を用いて駆動信号の選択方法を説明する。本実施形態では、複数種類の駆動信号のうち、駆動波形のデューティ比もしくは駆動周波数を制御した駆動信号を選択してレーザ光源装置２を駆動する。以下の図５から図８の説明においては、図４に示す各構成要素の符号を使用して説明する。
【００５７】
［１］デューティ比を制御した駆動信号を選択
本実施形態のレーザ光源装置２は、レーザ光源１０に供給する駆動信号のデューティ比を制御した駆動信号を選択することによって、必要とする光量を射出させることができる。図５は、デューティ比の異なる駆動信号を説明する説明図である。図５（ａ）は、本発明を適用せずデューティ比を変更しない場合の駆動信号を示し、図５（ｂ）は、本発明を適用しデューティ比を変更する場合の駆動信号を示す。
【００５８】
図５（ａ）に示すように、駆動信号Ｐは周期Ｔ、幅τの単位駆動信号が複数（図では２つ）集合してなる。本実施形態のレーザ光源装置２は、複数のレーザ光源１０が並列に接続されているため、駆動するレーザ光源１０の総数が増加すると、回路の寄生インダクタンスや寄生キャパシタンスの影響が強まる。そのため、レーザ光源１０に供給される駆動信号Ｐは回路のインピーダンスの影響を受け、図に示すような、三角波のようになまった駆動信号Ｐとなる。そのため、理想的な矩形波の駆動信号と比較すると、図に斜線部として示した遺失電流量ｄ１だけレーザ光源に電流が供給されず、電力量が不足することとなる。
【００５９】
そこで、本実施形態のレーザ光源装置２は、駆動信号Ｐのデューティ比ｒ（周期Ｔに対する幅τの割合、τ／Ｔ）を制御することにより、遺失分を補い電流量の不足を解消することとしている。即ち、レーザ光源１０に供給する駆動信号Ｐを、デューティ比ｒ１（ｒ１＝τ１／Ｔ１）の駆動信号Ｐ１から、図５（ｂ）に示すデューティ比ｒ２（ｒ２＝τ２／Ｔ２）のスイッチ制御信号Ｐ２に変更する（ただし、ｒ１＜ｒ２）。
【００６０】
このように駆動信号Ｐのデューティ比ｒを変化させると、単位時間にレーザ光源１０に流れる電流量が変化するため、レーザ光源１０に対し、図に示す差分ｄ２だけ多く電流を供給することが出来る。そのため、遺失電流量ｄ１と差分ｄ２とが等しくなるデューティ比ｒの駆動信号Ｐを選択することで、レーザ光源１０へ投入する電力量を補うことができる。以上のように、レーザ光源装置２では、デューティ比ｒを制御した駆動信号Ｐを選択することで、必要とする光量を射出することができる。
【００６１】
上記のような、好適な駆動信号による駆動を実現するため、レーザ光源装置２が備える光源駆動部１２では次のような処理を行う。即ち、光源駆動部１２に入力される入力データに基づき、光源数選択手段２２において射出すべき最大の光量を算出し、算出した射出すべき光量を射出可能なレーザ光源の総数を算出する。次いで、駆動信号選択手段２４においてレーザ光源の総数に対応する駆動信号のデューティ比を算出し、レーザ光源の総数が射出すべき光量を射出可能とする好適な駆動信号を選択する。次いで、選択したデューティ比を備えた駆動信号で、選択されたレーザ光源１０を駆動させ、所望の光量を射出する。以下詳細に説明する。
【００６２】
図６は、デューティ比を制御した駆動信号を選択する方法を示した説明図である。
【００６３】
図６（ａ）は、光源数選択手段２２で行われる処理について説明する図である。図は、選択するレーザ光源の総数（光源総数）を横軸に、レーザ光源から射出すべきレーザ光の光量を縦軸にとった、印加電圧一定の条件下における光源総数と光量との対応関係（光源数選択条件ＬＣ）を示すグラフである。
【００６４】
前述のように、光源総数に応じた駆動信号を選択しない場合には、例えば光源総数が増加するとレーザ光源１０に投入する電力量が低下する。そのため、図のグラフＧのように、光源総数Ｎの増加に伴い、光源選択条件ＬＣから緩やかに乖離する対応関係を示す。このような対応関係であると光量の制御が複雑となる。そこで、光量の制御を容易にするために、光源数選択条件ＬＣとしては、光源総数の増加に伴い光量が線形に増加する関係を設定することが好ましい。このような光源選択条件ＬＣは、例えば、１つのレーザ光源をパルス駆動させた場合に射出可能な光量を示すグラフＧ０を元に、正比例の関係を備えるものとして、複数のレーザ光源の射出光量を算出して設定することができる。
【００６５】
光源数選択手段２２では、まず入力データを元に必要とする光量Ｌが求められ、光源選択条件ＬＣに基づいて、必要光量Ｌを射出可能な光源総数Ｎが求められる。
【００６６】
図６（ｂ）は、駆動信号選択手段２４で行われる処理について説明する図である。図は、光源総数を横軸に、光源総数に応じた駆動信号のデューティ比を縦軸にとった、印加電圧一定の条件下における光源総数とデューティ比との対応関係（駆動信号選択条件ＤＣ１）を示すグラフである。
【００６７】
駆動信号選択条件ＤＣ１は、用いるレーザ光源や回路構成から、抵抗値やインピーダンス値を求め算出することができる。また、予め抵抗値やインピーダンス値を実測し、実測値に基づいて駆動信号選択条件ＤＣ１を設定しても構わない。
【００６８】
駆動信号選択手段２４では、駆動信号選択条件ＤＣ１に基づいて、光源総数Ｎを駆動させて必要光量Ｌを得ることができる駆動信号Ｐのデューティ比ｒが求められる。
【００６９】
図６（ｃ）は、デューティ比ｒの駆動信号Ｐで光源総数Ｎのレーザ光源１０を駆動させた光量を示す図である。レーザ光源１０を駆動する駆動信号Ｐが、光源総数Ｎの駆動に好適なデューティ比ｒを備えているため、光源選択条件ＬＣを再現した駆動をさせることが可能となり、必要光量Ｌを射出させることができる。このようにして、本発明を適応して光源総数Ｎに適した駆動信号Ｐを選択することで、光源選択条件ＬＣとグラフＧとの乖離を埋め、確実に光量を制御した好適な駆動を実現することができる。
【００７０】
［２］駆動周波数を制御した駆動信号を選択
また、本実施形態のレーザ光源装置２は、レーザ光源１０に供給する駆動信号の、駆動周波数を制御した駆動信号を選択することによって、必要とする光量を射出させることもできる。図７は、駆動信号Ｐの駆動周波数を示す図である。図７（ａ）は、本発明を適用せず駆動周波数を変更しない場合の駆動信号を示し、図７（ｂ）は、本発明を適用し駆動周波数を変更する場合の駆動信号を示す。
【００７１】
図７（ａ）に示す駆動周波数ｆ１の駆動信号Ｐ３から、図７（ｂ）に示す駆動周波数ｆ２の駆動信号Ｐ４（ただし、ｆ１＞ｆ２）に変更する場合、前述した式（１）（２）より、回路のインピーダンスはｆ２／ｆ１倍に変化する。駆動周波数ｆは、例えばスイッチ制御回路１７から供給するスイッチ制御信号の周波数を制御することで制御可能である。そのため、駆動周波数ｆを変更することで回路のインピーダンスを低減させることができ、その結果、レーザ光源１０により多くの電流を供給し、より多くの電力をレーザ光源１０へ投入することができる。以上のように、レーザ光源装置２では、駆動周波数ｆを制御した駆動信号Ｐを選択することで、必要とする光量を射出することができる。
【００７２】
上記のような、好適な駆動信号による駆動を実現するため、レーザ光源装置２が備える光源駆動部１２では次のような処理を行う。即ち、レーザ光源装置２は、駆動信号選択手段２４においてレーザ光源の総数に対応する駆動信号の駆動周波数を算出し、レーザ光源の総数が射出すべき光量を射出可能とする好適な駆動信号を選択する。次いで、選択したデューティ比を備えた駆動信号で、選択されたレーザ光源１０を駆動させ、所望の光量を射出する。以下詳細に説明する。
【００７３】
図８は、駆動信号選択手段２４で行われる処理について説明する図である。図は、光源総数を横軸に、光源総数に応じた駆動信号の駆動周波数を縦軸にとった、印加電圧一定の条件下における光源総数と駆動周波数との対応関係（駆動信号選択条件ＤＣ２）を示すグラフである。
【００７４】
駆動信号選択条件ＤＣ２は、用いるレーザ光源や回路構成から、抵抗値やインピーダンス値を求め算出することができる。また、予め抵抗値やインピーダンス値を実測し、実測値に基づいて駆動信号選択条件ＤＣ２を設定しても構わない。
【００７５】
駆動信号選択手段２４では、駆動信号選択条件ＤＣ２に基づいて、光源総数Ｎを駆動させて必要光量Ｌを得ることができる駆動信号Ｐの駆動周波数ｆが求められる。このようにして、本発明を適応して光源総数Ｎに適した駆動信号Ｐを選択することで、好適な駆動を実現することができる。
【００７６】
以上のような構成のレーザ光源装置２によれば、駆動させるレーザ光源１０の光源総数Ｎに対応して、レーザ光源１０の駆動信号Ｐのデューティ比ｒ、駆動周波数ｆを変化させることで、必要光量Ｌを射出させることができる。
【００７７】
また、本実施形態では、複数のレーザ光源１０の各々に直列に接続するスイッチ回路１８を備え、スイッチ回路１８によって、レーザ光源１８にパルス駆動信号を供給することとしている。スイッチ回路１８のＯＮ状態／ＯＦＦ状態を制御するスイッチ制御信号を用いて、駆動信号Ｐを制御することができるため、駆動信号Ｐの調整が容易となる。
【００７８】
また、本実施形態では、光源駆動部１２は、光源総数Ｎと光源総数Ｎに応じた駆動信号Ｐとの対応関係である信号選択条件ＤＣを記憶する記憶手段２６を備え、信号選択条件ＤＣに基づいて光源総数Ｎに対応する駆動信号Ｐを選択することとしている。そのため、信号選択条件ＤＣの追加、削除、変更を自由に行うことができ、信号選択条件ＤＣの管理が容易となる。また、実際にレーザ光源１０を駆動する場合、光源総数Ｎに応じて即座に好適な駆動信号Ｐを得ることができるので、駆動の高速化に寄与することができる。
【００７９】
また、本実施形態では、光源駆動部１２は、必要光量Ｌと必要光量Ｌに応じた光源総数Ｎとの対応関係である光源数選択条件ＬＣを記憶する記憶手段２６を備え、光源数選択条件ＬＣに基づいて光源総数Ｎを選択することとしている。そのため、光源数選択条件ＬＣの追加、削除、変更を自由に行うことができ、光源数選択条件ＬＣの管理が容易となる。また、実際にレーザ光源１０を駆動する場合、例えば入力される画像データに基づく必要光量Ｌに応じて、即座に必要な光源総数Ｎを得ることができるので、駆動の高速化に寄与することができる。
【００８０】
また、本実施形態では、光源数選択条件ＬＣが、光源総数Ｎの増加に対して必要光量Ｌが線形で増加する対応関係となっているため、光量の調節が容易である。
【００８１】
また、以上のようなレーザ光源装置２の駆動方法によれば、選択されたレーザ光源１０の光源総数Ｎに応じた駆動信号Ｐを各々のレーザ光源１０に供給するので、光源総数Ｎの変化による光量の変化を抑制し、確実に制御された光量を射出することができる。
【００８２】
なお、本実施形態においては、全てのレーザ光源１０にスイッチ回路１８が直列に接続されており、全てのレーザ光源１０をパルス駆動することとしたが、スイッチ回路１８を接続しないレーザ光源を設け、連続駆動させるレーザ光源とパルス駆動させるレーザ光源を混在させることもできる。
【００８３】
また、本実施形態においては、光源数選択条件ＬＣが、光源総数Ｎの増加に対して必要光量Ｌが線形で増加する対応関係となっていることとしたが、線形関係でない場合であっても、必要光量に基づいて光源総数Ｎを良好に選択することができる。
【００８４】
［第２実施形態］
図９は、本発明の第２実施形態に係るレーザ光源装置４の説明図である。本実施形態のレーザ光源装置４は、第１実施形態と一部共通している。したがって、本実施形態において第１実施形態と共通する構成要素については同じ符号を付し、詳細な説明は省略する。
【００８５】
図に示すように、レーザ光源装置４は、回路の駆動値を検出する駆動値検出手段３２と、検出手段３２により検出される駆動値の検出値、および駆動信号選択回路２０で選択した駆動信号の選択値に基づいて回路の駆動値を制御する駆動値制御手段３４と、を有する。ここで、「駆動値」とは、駆動信号の制御パラメータのうち、電源駆動回路１４によりレーザ光源１０に加える駆動電圧または駆動電流の値を指す。
【００８６】
図１０は、本実施形態のレーザ光源装置４の全体構成を説明する概略図である。駆動信号選択回路２６で選択された駆動信号のデータは、スイッチ制御回路１７に供給されると共に、駆動値制御手段３４に供給される。駆動値制御手段３４は、駆動値検出手段３２で検出される駆動値の検出値と選択された駆動信号の選択値とを比較し、検出値と選択値とを一致させるように光源駆動回路１４を制御する。
【００８７】
図１１は、駆動信号選択手段２４で行われる処理について説明する図であり、図１１（ａ）は制御する駆動値が駆動電圧である場合、図１１（ｂ）は制御する駆動値が駆動電流である場合を示す。図１１（ａ）は、光源総数を横軸に、光源総数に応じた駆動信号の駆動電圧を縦軸にとった、光源総数と駆動電圧との対応関係（駆動信号選択条件ＤＣ３）を示すグラフであり、図１１（ｂ）は、光源総数を横軸に、光源総数に応じた駆動信号の駆動電流を縦軸にとった、光源総数と駆動電流との対応関係（駆動信号選択条件ＤＣ４）を示すグラフを示す。
【００８８】
本実施形態では、回路のインピーダンスの影響によりレーザ光源１０を流れる電流量が減少し、そのために減少する電力量を補うために、レーザ光源１０を駆動させる駆動値を制御する。電力量は、電流量と印加電圧との積により求めることができるため、印加電圧または電流量を制御することで、投入電力量を制御することができる。
【００８９】
駆動信号選択条件ＤＣ３，４は、用いるレーザ光源や回路構成から、抵抗値やインピーダンス値を求め算出することができる。また、予め抵抗値やインピーダンス値を実測し、実測値に基づいて設定しても構わない。
【００９０】
駆動電圧を制御する場合、駆動信号選択手段２４では、駆動信号選択条件ＤＣ３に基づいて、光源総数Ｎを駆動させて必要光量Ｌを得ることができる駆動信号Ｐの駆動電圧ｖが求められる。駆動電流を制御する場合、駆動信号選択手段２４では、駆動信号選択条件ＤＣ４に基づいて、光源総数Ｎを駆動させて必要光量Ｌを得ることができる駆動信号Ｐの駆動電流ｊが求められる。このようにして、本発明を適応して光源総数Ｎに適した駆動信号Ｐを選択することで、好適な駆動を実現することができる。
【００９１】
以上のような構成のレーザ光源装置４によれば、光源総数Ｎの変化に対応して駆動電圧ｖまたは駆動電流ｊを変化させた駆動信号Ｐを選択することで、射出する光量を制御することができる。
【００９２】
また、駆動中のレーザ光源装置４について駆動値検出手段３２を用いてを実測する駆動値の検出値と、駆動信号選択手段２４によって選択された駆動値の選択値とに基づき、駆動値制御手段３４を用いて検出値と選択値とを一致させるように駆動値を制御することとしている。そのため、より正確に駆動値を制御し、射出する光量を制御することが可能となる。
【００９３】
なお、本実施形態のレーザ光源装置４は、スイッチ回路１８を用いてレーザ光源１０をパルス駆動するパルス駆動信号を生成することとしたが、光源駆動回路１４がレーザ光源１０をパルス駆動させるパルス駆動信号を生成することとしても良い。
【００９４】
［モニタ装置］
図１２は、本発明に係るモニタ装置の概略構成図である。本実施の形態に係るモニタ装置５０は、装置本体５２と、光伝送部５４と、を備える。装置本体５２は、前述した第１実施形態のレーザ光源装置２を備え、その他に、光波長変換素子５６及び反射ミラー５８を備える。
【００９５】
光伝送部５４は、光を送る側と受ける側の２本のライトガイド６０，６２を備える。各ライトガイド６０，６２は、多数本の光ファイバを束ねたもので、レーザ光を遠方に送ることができる。光を送る側のライトガイド６０の入射側にはレーザ光源装置２が配設され、その射出側には拡散板６４が配設されている。レーザ光源装置２から射出したレーザ光は、ライトガイド６０を伝って光伝送部５４の先端に設けられた拡散板６４に送られ、拡散板６４により拡散されて被写体を照射する。
【００９６】
光伝送部５４の先端には、結像レンズ６６も設けられており、被写体からの反射光を結像レンズ６６で受けることができる。その受けた反射光は、受け側のライトガイド６２を伝って、装置本体５２内に設けられた撮像部としてのカメラ６８に送られる。この結果、レーザ光源装置２により射出したレーザ光により被写体を照射したことで得られる反射光に基づく画像をカメラ６８で撮像することができる。
【００９７】
以上のように構成されたモニタ装置５０によれば、レーザ光源装置２から射出する光量を確実に制御し、良好な撮像が可能なモニタ装置５０を提供することができる。
【００９８】
［プロジェクタ］
図１３は、本発明に係るプロジェクタの概略構成図である。図中においては、簡略化のためプロジェクタ７０を構成する筐体は省略している。本実施の形態に係るプロジェクタ７０は、赤色光を射出する赤色レーザ光源装置７２Ｒと、緑色光を射出する緑色レーザ光源装置７２Ｇと、青色光を射出する青色レーザ光源装置７２Ｂと、を備える。
【００９９】
赤色レーザ光源装置７２Ｒは、前述した第１の実施の形態のレーザ光源装置２と同一の構成を備える。赤色のレーザ光ＬＢｒを射出する半導体レーザアレイである。緑色レーザ光源装置７２Ｇは、前述した第１の実施の形態のレーザ光源装置２と同一の構成を備え、その他に、光波長変換素子５６及び反射ミラー５８を備える。この光波長変換素子５６では、緑色の波長のレーザ光ＬＢｇを射出するように波長変換がなされている。青色レーザ光源装置７２Ｂは、前述した第１の実施の形態のレーザ光源装置２と同一の構成を備え、その他に、光波長変換素子５６及び反射ミラー５８を備える。この光波長変換素子５６では、青色の波長のレーザ光ＬＢｂを射出するように波長変換がなされている。
【０１００】
又、プロジェクタ７０は、液晶ライトバルブ（変調部）７４Ｒ，７４Ｇ，７４Ｂと、クロスダイクロイックプリズム（色光合成部）７６と、投写レンズ（投写部）７８と、を備える。液晶ライトバルブ７４Ｒ，７４Ｇ，７４Ｂは、各色のレーザ光源装置７２Ｒ，７２Ｇ，７２Ｂから射出された各色のレーザ光ＬＢｒ，ＬＢｇ，ＬＢｂをパソコン等から送られてきた画像信号に応じてそれぞれ変調する。クロスダイクロイックプリズム７６は、液晶ライトバルブ７４Ｒ，７４Ｇ，７４Ｂから射出された光を合成して投写レンズ７８に導く。投写レンズ７８は、液晶ライトバルブ７４Ｒ，７４Ｇ，７４Ｂによって形成された像を拡大してスクリーン８０に投写する。
【０１０１】
更に、プロジェクタ７０は、各レーザ光源装置７２Ｒ，７２Ｇ，７２Ｂから射出されたレーザ光の照度分布を均一化させるため、各レーザ光源装置７２Ｒ，７２Ｇ，７２Ｂよりも光路下流側に、均一化光学系８２Ｒ，８２Ｇ，８２Ｂを設けている。これらによって照度分布が均一化された光によって、液晶ライトバルブ７４Ｒ，７４Ｇ，７４Ｂを照明している。例えば、均一化光学系８２Ｒ，８２Ｇ、８２Ｂは、ホログラムやフィールドレンズによって構成される。
【０１０２】
各液晶ライトバルブ７４Ｒ，７４Ｇ，７４Ｂによって変調された３つの色光は、クロスダイクロイックプリズム７６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投写レンズ７８によりスクリーン８０上に投写され、拡大された画像が表示される。
【０１０３】
以上のように構成されたプロジェクタ７０によれば、レーザ光源装置７２Ｒ，７２Ｇ，７２Ｂから射出する光量を確実に制御すると共に、光量が制御された光を液晶ライトバルブ７４Ｒ，７４Ｇ，７４Ｂで変調することで、ダイナミックレンジが広く映像表現力に優れたプロジェクタ７０を提供することができる。
【０１０４】
尚、光変調装置として透過型の液晶ライトバルブを用いたが、液晶以外のライトバルブを用いてもよいし、反射型のライトバルブを用いてもよい。このようなライトバルブとしては、例えば、反射型の液晶ライトバルブや、デジタルマイクロミラーデバイス（Digital Micro mirror Device）が挙げられる。投射光学系の構成は、使用されるライトバルブの種類によって適宜変更される。
【０１０５】
尚、本発明は上記した実施の形態に限られるものではなく、その要旨を逸脱しない範囲において種々の態様にて実施することが可能である。
【０１０６】
前記実施の形態では、半導体レーザアレイとしてＶＣＳＥＬ型のものを用いていたが、これに換えて、光の共振する方向が基板面に対して平行になる端面発光型の半導体レーザアレイを用いる構成としてもよい。更には、レーザ光源は、半導体レーザに換えて、固体レーザ、液体レーザ、ガスレーザ、自由電子レーザ等、他の種類のレーザとすることもできる。
【０１０７】
又、前記実施の形態のプロジェクタ７０は、いわゆる３板式の液晶プロジェクタであったが、これに換えて、色毎に時分割でレーザ光源装置を点灯することにより１つのライトバルブのみでカラー表示を可能とした構成等の単板式の液晶プロジェクタとしてもよい。
又、走査型のプロジェクタとしてもよい。
【０１０８】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【０１０９】
【図１】本発明の第１実施形態に係るレーザ光源装置の概略構成図である。
【図２】本実施形態に係るレーザ光源装置の概略回路図である。
【図３】各々のレーザ光源の駆動についての説明図である。
【図４】第１実施形態のレーザ光源装置の全体構成を説明する概略図である。
【図５】駆動信号のデューティ比を示した図である。
【図６】駆動信号選択回路で行われる処理について説明する図である。
【図７】駆動信号の駆動周波数を示す図である。
【図８】駆動信号選択手段で行われる処理について説明する図である。
【図９】本発明の第２実施形態に係るレーザ光源装置の説明図である。
【図１０】第２実施形態のレーザ光源装置の全体構成を説明する概略図である。
【図１１】駆動信号選択手段で行われる処理について説明する図である。
【図１２】本発明に係るモニタ装置の概略構成図である。
【図１３】本発明に係るプロジェクタの概略構成図である。
【図１４】光源数の変化に対する駆動信号の波形の違いを示す説明図である。
【符号の説明】
【０１１０】
２，４…光源装置、１０…レーザ光源、１２…光源駆動部、１８…スイッチ回路、２６…記憶手段、３２…駆動値制御手段（電圧制御手段、電流制御手段）、３４…駆動値検出手段（電圧検出手段、電流検出手段）、５０…モニタ装置、６８…カメラ（撮像部）、７０…プロジェクタ、７４Ｒ，７４Ｇ，７４Ｂ…液晶ライトバルブ（変調部）、ＤＣ…駆動信号選択条件（信号選択条件）、ｆ…駆動周波数、ｊ…駆動電流、Ｌ…必要光量（射出すべき光量）、ＬＣ…光源数選択条件、Ｎ…光源総数（レーザ光源の総数）、Ｐ…駆動信号、ｒ…デューティ比、ｖ…駆動電圧、
【図１】
2009271406.tif 000005
【図２】
2009271406.tif 000006
【図３】
2009271406.tif 000007
【図４】
2009271406.tif 000008
【図５】
2009271406.tif 000009
【図６】
2009271406.tif 000010
【図７】
2009271406.tif 000011
【図８】
2009271406.tif 000012
【図９】
2009271406.tif 000013
【図１０】
2009271406.tif 000014
【図１１】
2009271406.tif 000015
【図１２】
2009271406.tif 000016
【図１３】
2009271406.tif 000017
【図１４】
2009271406.tif 000018